Podtech/llm-jp-corpus-v4-ja_patent huggingface dataset:
(57)【要約】  【課題】赤外線撮影対応ＣＣＤ及び赤外線照射機、監視カメラ用モーションセンサ警報          装置を併用し、より簡単で導入しやすい自動車、電車など運転時の居眠りを          防止する警報装置を提供する。  【解決手段】赤外線対応ＣＣＤカメラと赤外線照射機を併用し運転者の顔面を赤外線              撮影して画像信号をモーションセンサー装置に出力する。              撮影画像上にモーションセンサー検知部を任意の位置に配置し運転者の              一時的な意識喪失による居眠り動作を検知、警報を発生する。  【選択図】図１2007156763.tif 000003
2007156763.tif 000002
【特許請求の範囲】
【請求項１】
ＣＣＤカメラにて運転者を撮影し、居眠り動作を画面上に配したモーションセンサーに
よって検知警報を発生させる。
【請求項２】
撮影機材として赤外線照射機及び赤外線対応ＣＣＤカメラを使用し、カメラレンズ
前面に赤外線透過可視光カットフィルタ(ＩＲカットフィルタ)を使用する。赤外線透過
可視光カットフィルタをＣＣＤカメラのレンズに取り付け赤外線のみの撮影をすること
で可視光をカットし、モーションセンサーの可視光要因による誤作動を防ぐ。
【発明の詳細な説明】
【技術分野】
【０００１】
本発明は、自動車などの運転者の居眠り動作を検知し警報を与え覚醒させる、
居眠り防止装置に関する。
【背景技術】
【０００２】
これまでに眼球の動作を感知する居眠り防止機はあったが、居眠り時の動作
(前のめり等)を検知し同時に警報を発するものはない。
【特許文献１】特許出願２００３−１４４１８４号
【発明の開示】
【発明が解決しようとする課題】
【０００３】
自動車運転時、特に長距離運転者の居眠り事故は多く、事故発生を未然に防ぐ目的で
開発に取り組んだ。
【課題を解決するための手段】
【０００４】
運転者頭部をＣＣＤカメラと赤外線照射機にてモニターし、送られてくる画面上に動作
感知するモーションセンサー検知部を運転者の前後左右に設定する。
運転者が意識喪失による居眠り動作を起こすと画面上のモーション検知センサーに触れ、
検知センサーの反応により警報を出す。
【発明の効果】
【０００５】
本発明は運転者の居眠り動作をＣＣＤカメラが撮影し、画面上に設定されたモーション
センサーにより検知警報を出し居眠り事故を防ぐことが出来る。
【発明を実施するための最良の形態】
【０００６】
運転者をＣＣＤカメラと赤外線照射機を用いて撮影し、撮影画面上にモーションセンサ
を設定する。
【実施例】
【０００７】
ＣＣＤカメラレンズ前部に赤外線透過可視光カットフィルタを取り付け可視光を
カットして赤外線映像のみを撮影する。このとき光源として赤外線照射機を併用する。
【０００８】
ＣＣＤカメラにて得られた映像信号をモーションセンサー装置本体に入れる。
撮影画面を確認し、運転手上下左右に動作反応検知部を設定する。
【産業上の利用可能性】
【０００９】
長距離トラックなど長時間の運転時の居眠り運転を防止する。
【図面の簡単な説明】
【００１０】
【図１】本発明の機材組み合わせ図
【符号の説明】
【００１１】
１.ＣＣＤカメラ
２.赤外線照射機
３.ＩＲフィルタ（可視光カット赤外線透過フィルタ）
４.モーションセンサー及び警報装置
５.撮影画面モーションセンサー検知部
【図１】
2007156763.tif 000004
(57)【要約】【課題】  最近のプリンタは多機能になり、それに伴い、パネル操作も複雑になってきている。ある操作を実行するとき、パネルメニュー内の階層を降りていくが、３階層下、４階層下まで分岐されていることが多々あり、操作を間違えた場合は、戻るボタンを押して、一つ上の階層に移動しないといけない。その操作を繰り返していると、今の位置が何階層目かということがわからなくなることが多々ある。【解決手段】  パネルメニューの文字を現在の階層分反転表示させ、ユーザが今どこの位置にいるかを把握させる情報を表示させ、ユーザビリティを向上させる【選択図】  図３
2007156719.tif 000002
【特許請求の範囲】
【請求項１】
ユーザが各種操作を行なうための入力手段を有する携帯情報端末や、小型の表示画面を持つ機器において、該入力手段がもつグラフィカルユーザインタフェイス（以下GUI）について以下の特徴を持つGUIに関するもので、当該の入力手段が各種機能を呼び出す際に使用されるメニュー表示において、その項目が多い場合に、最初のメニューを第１次メニューとし、第n（nは自然数）次メニューと該第n次メニューの下位に位置する第n+1次メニューのように機能毎に階層に分け、何番目の階層を表示しているか、というメニュー位置情報を、現在のメニュー表示で表示されている文言の文字を何文字白黒反転表示させるかによって、表現することを特徴とするメニュー表示方法。
【請求項２】
操作パネルの何番目の階層を表示しているか、というメニュー位置情報を、現在のメニュー表示で表示されている文言の文字を何文字反転表示させるかによって、表現することを特徴とするメニュー表示方法において、白黒以外の色を使用して反転表示させることを特徴とする請求項1に記載のメニュー表示方法。
【請求項３】
操作パネルの何番目の階層を表示しているか、というメニュー位置情報を、現在のメニュー表示で表示されている文言の文字を何文字反転表示させるかによって、表現することを特徴とするメニュー表示方法において、通常の表示と反転表示を交互にメニューに表示させることを特徴とする請求項1または請求項２に記載のメニュー表示方法。
【発明の詳細な説明】
【技術分野】
【０００１】
本発明は、操作パネルなどの入力手段において、その入力手段を有する機器のユーザの操作パネルの操作を助け、ユーザビリティを向上させる方法に関するものである。
【背景技術】
【０００２】
従来のメニュー表示方法の技術としては、特許文献1のようなものがある。これは、メニューの階層が多い場合に必要に応じて上位のメニューから画面外にスクロールアウトして、ユーザ所望の項目を的確に選択させるGUIを提供するものである。
【特許文献１】特開２００１−２６５４７７号公報
【発明の開示】
【発明が解決しようとする課題】
【０００３】
従来の技術では、操作パネルの操作において、複数の階層に分岐された表示メニューを遷移して、ユーザが所望する動作命令を実行するまでに、複数の階層をたどっていくので、パネル操作に慣れていない初心者などは、所望の動作命令を実行するまでに、メニュー遷移において迷ってしまい、所望する命令の実行までに時間がかかることがあった。
【０００４】
本発明では、複数の階層に分岐された複雑な表示メニューを遷移して、ユーザが所望する動作命令を実行するまでに、複数の階層をたどっていく場合のユーザの操作において、現在何番目の階層にいるかというメニュー位置情報を、現在のメニュー表示で表示されている文言の文字を何文字白黒反転表示させるかによって表現し、ユーザがメニューの遷移で迷うことを防ぎ、ユーザの操作を助けることができる。また、表示文字数の限られた小さい表示装置でも、ユーザビリティを向上させることが可能である。
【課題を解決するための手段】
【０００５】
上記目的を達成させるために、本発明であるメニュー表示方法では、現在何番目の階層にいるかというメニュー位置情報を表示する機能を有し、メニュー表示で表示されている文言の文字を白黒反転表示させて表示させる機能を有する。
【発明の効果】
【０００６】
本実施形態によれば、複数の階層に分岐された複雑な表示メニュー構成をもつ機器の操作において、表示メニューの位置情報を、限られた小さい文字表示装置でも、ユーザに表示させることが可能となり、ユーザがメニューの遷移で迷うことを防ぎ、ユーザのパネル操作を助けることができる。
【発明を実施するための最良の形態】
【０００７】
上記のような機能を、機器の操作パネルに備えることによって、機器のユーザに、現在メニュー内で何階層目にいるかというメニュー位置情報を、メニュー表示で表示されている文言の文字を白黒反転表示させて表示させることによって表現し、ユーザがメニューの遷移で迷うことを防ぎ、ユーザのパネル操作を助けることができる。
【０００８】
以下、図面にもとづいて本発明の実施形態を説明する。
【０００９】
図１は、操作パネルの一例であり、印刷装置などで使用されている操作パネルの例である。
【００１０】
操作パネル10は、液晶などの表示装置11、決定ボタン12、選択ボタン13などで構成され、これらの手段を使用することによって、複数階層に分岐されたメニューを自由に遷移できる。
【００１１】
図2は、表示メニューの構成の一例を図で示したものである。図２において、階層1には、インタフェイスのメニュー表示101があり、その下の階層にはNetworkのメニュー表示102、1394インタフェイス、USBインタフェイスのメニュー表示が存在する。Networkのメニュー表示102の下には、IPアドレスのメニュー表示103、デフォルトGatewayのメニュー表示が存在している。
【００１２】
図3は、図２で説明した表示メニュー構成において、メニュー表示で表示されている文言の文字を白黒反転表示させて表示させる例を示したものである。表示装置201内に第一階層の“インタフェイス”を表示する場合は、第一階層なので、最初の一文字“イ”を白黒反転表示させることによって、第一階層のメニューであることを表現する。
【００１３】
表示装置201内に第二階層の“Network”を表示する場合は、第二階層なので、最初の二文字“Ne”を白黒反転表示させることによって、第二階層のメニューであることを表現する。
【００１４】
（産業上の利用可能性）
本発明は、小さい限られた文字数しか表示できない小型表示装置に適応させることによって、小型表示装置でもユーザビリティを向上させることが可能である。
【図面の簡単な説明】
【００１５】
【図１】機器に備えられた操作パネルの一例を示した図。
【図２】操作パネル内で遷移できる表示メニュー構成の一例を示した図。
【図３】表示メニューで表示されている文言の文字を白黒反転表示させて表示させる例を示した図。
【符号の説明】
【００１６】
10  操作パネル
11  表示装置
12  決定ボタン
13  選択ボタン
101  第一階層にあるインタフェイスの表示メニュー
102  第二階層にあるNetworkの表示メニュー
103  第三階層にあるIPアドレスの表示メニュー
201  表示装置
202  白黒反転させた文字
【図１】
2007156719.tif 000003
【図２】
2007156719.tif 000004
【図３】
2007156719.tif 000005
(57)【要約】【課題】塗料耐候性および耐熱性を向上し、平滑から高光沢までの表面仕上げを提供するように機能する無機保護塗料において使用される高性能バインダーの形成など。【解決手段】保護塗料は、水素並びに６個までの炭素原子を含むアルキル、アリール、シクロアルキル、アルコキシ、アリーロキシ、ヒドロキシアルキル、アルコキシアルキルおよびヒドロキシアルコキシアルキル基からなる群より選ばれた側基を有し、且つ、重合のために少なくとも２個の加水分解性の側基を有するオキシシラン、および／または、水素、ヒドロキシ基並びに12個までの炭素原子を含むアルキル、アリールおよびアルコキシ基からなる群より選ばれた側基を有し、且つ、 5000までの平均分子量を有するシリコーン中間体、からなる群より選ばれた珪素-酸素化合物を周囲温度において重合することにより製造される、保護塗料。【選択図】なし【特許請求の範囲】
【請求項１】
本願明細書に記載されるような、ポリシロキサン塗料。
【発明の詳細な説明】
【技術分野】
【０００１】
【数１−１】
2007231291.tif 000002
【背景技術】
【０００２】
【数１−２】
2007231291.tif 000003
【０００３】
【数２】
2007231291.tif 000004
【０００４】
【数３】
2007231291.tif 000005
【０００５】
【数４−１】
2007231291.tif 000006
【発明の開示】
【課題を解決するための手段】
【０００６】
本発明によって以下が提供される：
【０００７】
【数３８】
2007231291.tif 000007
【０００８】
【数３９】
2007231291.tif 000008
【０００９】
【数４０】
2007231291.tif 000009
【００１０】
【数４１】
2007231291.tif 000010
【００１１】
【数４２】
2007231291.tif 000011
【００１２】
【数４３】
2007231291.tif 000012
【００１３】
【数４４】
2007231291.tif 000013
【００１４】
【数４５】
2007231291.tif 000014
【００１５】
【数４６】
2007231291.tif 000015
【００１６】
【数４７】
2007231291.tif 000016
【００１７】
【数４８】
2007231291.tif 000017
【００１８】
【数４９】
2007231291.tif 000018
【００１９】
【数５０】
2007231291.tif 000019
【００２０】
【数４−２】
2007231291.tif 000020
【００２１】
【数５】
2007231291.tif 000021
【００２２】
【数６】
2007231291.tif 000022
【００２３】
【数７】
2007231291.tif 000023
【００２４】
【数８】
2007231291.tif 000024
【００２５】
【数９】
2007231291.tif 000025
【００２６】
【数１０】
2007231291.tif 000026
【００２７】
【数１１】
2007231291.tif 000027
【００２８】
【数１２】
2007231291.tif 000028
【００２９】
【数１３】
2007231291.tif 000029
【００３０】
【数１４】
2007231291.tif 000030
【００３１】
【数１５】
2007231291.tif 000031
【００３２】
【数１６】
2007231291.tif 000032
【００３３】
【数１７】
2007231291.tif 000033
【００３４】
【数１８】
2007231291.tif 000034
【００３５】
【数１９】
2007231291.tif 000035
【００３６】
【数２０】
2007231291.tif 000036
【００３７】
【数２１】
2007231291.tif 000037
【００３８】
【数２２】
2007231291.tif 000038
【００３９】
【数２３】
2007231291.tif 000039
【００４０】
【数２４】
2007231291.tif 000040
【００４１】
【数２５】
2007231291.tif 000041
【００４２】
【数２６】
2007231291.tif 000042
【００４３】
【数２７】
2007231291.tif 000043
【００４４】
【数２８】
2007231291.tif 000044
【００４５】
【数２９】
2007231291.tif 000045
【００４６】
【数３０】
2007231291.tif 000046
【００４７】
【数３１】
2007231291.tif 000047
【００４８】
【数３２】
2007231291.tif 000048
【００４９】
【数３３】
2007231291.tif 000049
【００５０】
【数３４】
2007231291.tif 000050
【００５１】
【数３５】
2007231291.tif 000051
【００５２】
【数３６】
2007231291.tif 000052
【００５３】
【数３７】
2007231291.tif 000053
(57)【要約】【課題】  本発明の洗浄剤は、水にタバコを入れた水溶液を洗浄剤（ワックス効果やサビ止め効果、くもり止め効果を有する）として使用するもので、金属製品・木製品・プラスチック製品・ガラス製品・革製品・食器や車等、ありとあらゆる材質のものも汚れを除去できると共に、付帯効果を有する洗浄剤を提供する。【解決手段】  水にタバコを入れた水溶液からなることを特徴とする洗浄剤。【選択図】図１
2007231243.tif 000002
【特許請求の範囲】
【請求項１】
水にタバコを入れた水溶液からなることを特徴とする洗浄剤。
【請求項２】
水にタバコを入れた後、タバコを取り出した水溶液からなることを特徴とする洗浄剤。
【請求項３】
水にタバコ及び消臭物質を入れた水溶液からなることを特徴とする洗浄剤。
【請求項４】
水にタバコ及び消臭物質を入れた後、少なくともタバコを取り出した水溶液からなることを特徴とする洗浄剤。
【請求項５】
消臭物質が、ハーブ系の植物であることを特徴とする請求項１、２、３、又は４記載の洗浄剤。
【請求項６】
消臭物質が、かんきつ系の果物であることを特徴とする請求項１、２、３、又は４記載の洗浄剤。
【発明の詳細な説明】
【技術分野】
【０００１】  本発明は、主に捨てられるタバコを水に入れ、その水溶液を洗浄剤とするリサイクル型社会に対応した洗浄剤に関するものである。
【背景技術】
【０００２】  従来の技術としては、同様な目的のものは無いが、タバコの抽出物として、有効成分として天然由来のカシュー抽出物、タバコ抽出物、青森ヒバ油を含むことを特徴とする殺虫剤がある。（特許文献１参照）【０００３】  また、他の従来技術として、同様な目的のものではないが、たばこくず粉末を使用した油茶種子搾油粕とたばこくず粉末と、堆肥の３成分からなる土壌改良剤がある。（特許文献２参照）
【特許文献１】  特開２００５−２８９８４６号公報
【特許文献２】  特開平１１−２６９４６２号公報
【発明の開示】
【発明が解決しようとする課題】
【０００４】  上記前者の技術は殺虫剤であり、上記後者の技術は、土壌改良剤であり、タバコの抽出物（たばこくず粉末）を使用するものであるが、まったく別の目的のために開発されたものである。【０００５】  本発明の洗浄剤は、水にタバコを入れた水溶液を洗浄剤（ワックス効果やサビ止め効果、くもり止め効果を有する）として使用するもので、金属製品・木製品・プラスチック製品・ガラス製品・革製品・食器や車等、ありとあらゆる材質のものの汚れを除去できると共に、付帯効果を有する洗浄剤を提供することを目的とする。
【課題を解決するための手段】
【０００６】  本発明は上記目的を達成するため、水にタバコを入れた水溶液からなる。
また、水にタバコを入れた後、タバコを取り出した水溶液からなる。
そして、水にタバコ及び消臭物質を入れた水溶液からなる。
さらに、水にタバコ及び消臭物質を入れた後、少なくともタバコを取り出した水溶液からなる。
また、消臭物質が、ハーブ系の植物である。
さらにまた、消臭物質が、かんきつ系の果物であることを特徴とする。
【発明の効果】
【０００７】１）、水にタバコを入れた水溶液を洗浄剤として、使用することにより、成分である灰分・樹脂、ワックス・ウロン酸や粘り気のある化合物テルペン化合物により、金属製品・木製品・プラスチック製品・ガラス製品・革製品・食器や車のボディー等、多種多様な物の汚れを除去することができると共に、ワックス効果やくもり止め効果等も合わせて有するものである。
２）、タバコの吸殻を使用することにより安価に製造することができる。
３）、タバコを取り出した水溶液により、不純物のない液体となり、スプレー等で手軽に作業を行うことができる。
４）、消臭物質としてハーブ系の植物（ジャスミン等）を使用することにより、タバコの臭いが中和され、違和感のない香りとなる。
５）、消臭物質としてかんきつ系の果物（例えばみかん皮等）を使用することにより、タバコの臭いを中和すると共に、みかんの皮の成分により、より洗浄力をアップすることができる。
【発明の実施するための最良の形態】
【０００８】  まず、第１実施例を説明する。
例えば、水Ｍ１ｌに対してタバコの吸殻Ｔ約１００ｇを入れる。
この状態で、数時間経過（撹拌してもよい）した後の水溶液Ｓをそのまま洗浄剤として使用してもよく、タバコの吸殻Ｔを除去した水溶液Ｓ１をスプレー容器ＳＰに入れて洗浄剤として使用するものである。
【０００９】  また、第２実施例として、水Ｍ１ｌに対してタバコの吸殻Ｔ１を約１００ｇ入れ、かつ消臭物質ＳＢとしてジャスミン茶葉１００ｇ〜２００ｇあるいはみかんの皮（乾燥した物）１００ｇ〜２００ｇを入れる。この状態で、数時間経過（撹拌してもよい）した後の水溶液Ｓ２をそのまま洗浄剤として使用してもよく、タバコの吸殻Ｔ１及び消臭物質ＳＢを除去した水溶液Ｓ３をスプレー容器ＳＰ１に入れて洗浄剤として使用するものである。
【００１０】  上記の各洗浄剤はその成分により、直接金属製品・木製品・プラスチック製品・ガラス製品・革製品・食器や車のボディー等、多種多様な物に吹き付けることにより、汚れを除去できると共に、ワックス効果やくもり止め効果を長期間保持することができ、汚れの上から直接吹き付け、後は布等で拭き取るだけでよく、誰でも簡単・容易に作業が行えるものである。
【００１１】  なお、水とタバコ（タバコの吸殻）及び消臭物質の重量比は上記実施例の数値に限定するものではなく、必要に応じて決めればよい。
また、タバコの銘柄等は特に限定するものではなく、少なくとも日本製であればどの銘柄でもよい。
さらに、ハーブ系の植物やかんきつ系の果物においても、実施例以外のものも使用してよい。
さらにまた、水溶液はフィルターを使用して不純物を除去してもよく、布等を使用してエキス（成分）を絞り出してもよい。
【図面の簡単な説明】
【００１２】
【図１】  本発明の第一実施例を示す洗浄剤の製造工程図。
【図２】  本発明の第二実施例を示す洗浄剤の製造工程図。
【符号の説明】
【００１３】  Ｍ−−−水
Ｔ−−−タバコの吸殻
Ｓ−−−水溶液
ＳＰ−−スプレー容器
ＳＢ−−消臭物質
【図１】
2007231243.tif 000003
【図２】
2007231243.tif 000004
(57)【要約】      （修正有）【課題】吸込み口からモータ端までの全長を短くするために、モータをシロッコファンの内部に挿入する場合、モータの外径が羽根車入口の気流の流れを阻害し送風性能が低下する。この現象を緩和し、風量を増大させる換気扇用シロッコファンを提供する。【解決手段】シロッコファンの羽根車３に軸流ファン羽根形状を持つ翼型保持リング１０を設ける。シロッコファンは運転時に翼型保持リング１０の働きで吸気口５からの換気空気が翼型保持リング１０の裏側へ送風され、羽根車３の軸方向に沿い風量分配が調整できるため、駆動モータを内部に挿入しても、従来のシロッコファンに見られる軸方向に沿う気流の流速分布が不均一となる現象が緩和される。【選択図】図３
2007231863.tif 000002
【特許請求の範囲】
【請求項１】
モータの軸端に取り付けるシロッコファンの羽根車の外周方向の風速が軸方向に沿い均等化する機能を持つ軸流ファン羽根形状の保持リングを装置したことを特徴とする換気扇用シロッコファン。
【発明の詳細な説明】
【技術分野】
【０００１】
本発明は、住宅などの室内換気を目的とする換気扇に用いるシロッコファンに関する。
【背景技術】
【０００２】
図１に従来のシロッコファンの構成を示す。
本体１の外部上方にモータ２が設置されている。モータ２の回転軸端に羽根車３（複数枚の羽根が保持リング７に配列されるもの）が固定される。モータ２と羽根車３からシロッコファンを形成する。シロッコファンの上流側に吸気口５が有し、本体１の側面に排気口６が開口される。
従来は、モータ全体がシロッコファン本体の外部に設置されるため、シロッコファン本体の吸気口からモータの端までの全長が長くなり、換気扇の小型化が難しい。
図２に改良型のシロッコファンの構成を示す。
シロッコファン本体１の吸気口５からモータ２の取付部とモータ端までの長さの合計によりシロッコファンの厚みが決まるが、この寸法を短くするために改良型シロッコファンではモータ２を本体１の内部まで挿入することにより寸法の問題を解決している。
【発明の開示】
【発明が解決しようとする課題】
【０００３】
シロッコファン羽根車内部の流れを流線Ａ、流線Ｂで示す。改良型のシロッコファンでは、流線Ｂは、従来のシロッコファンに較べ、保持リングの影響を受けるため、流量が低下する。即ち、改良型では保持リングの位置は従来の羽根車末端からかなり前の位置に（羽根車入口側へ）設計されるため、回転している保持リングが流れをせき止める（遮断）現象を生じ、羽根車内部における換気気流が羽根車入口側に偏り、その結果排気口断面における通過する気流の速度分布が不均一になり、シロッコファンの送風性能が低下する。
【課題を解決するための手段】
【０００４】
改良型シロッコファンでの送風性能低下の問題を解決するため、本発明では軸流ファン羽根車形状を持つ翼型保持リングを用いたシロッコファン羽根車を装置する換気扇用シロッコファンを提供する。
本発明によれば、翼型保持リングの働きで吸気口からの空気を軸方向に沿い該軸流ファン羽根車の裏側へ送風し、シロッコファンの羽根車軸方向に沿う風量分布が調整できるため、従来の技術における換気流が羽根車入口側に偏り、流量分布の不均一現象を緩和し、送風性能のよい換気扇用シロッコファンを提供することができる。
【発明の効果】
【０００５】
以上説明したように、請求項１に記載された発明によれば、翼型保持リングを設けるシロッコファンの羽根車がモータの軸端に設置された構造を実現することである。この結果、換気扇は運転状態では、軸流ファン羽根車形状を有する翼型保持リングの働きで換気流が軸方向に沿って下流（奥）へ送風されるため、改良型シロッコファンの欠点である換気流が羽根車入口側に偏り、羽根車の軸方向に沿う気流の流量分布の不均一現象が緩和され、ファン送風性能（効率）の向上をもたらしかつシロッコファンの厚み寸法を短くすることができる。
【発明を実施するための最良の形態】
【０００６】
以下、図示の実施形態により本発明を詳細に説明する。
図３は、本発明に係わる換気扇用シロッコファンの実施形態の構成を示す概略図である。
本発明において、翼型保持リング１０を設けるシロッコファンの羽根車３が、翼型保持リング１０のセンター穴を通じてモータ２の軸端に取り付けられる構成が採用される。
上記構造に基づいてこの換気扇は運転している時の実態を説明する。
モータ２の回転と共にモータ２の回転軸端に固定されているシロッコファンの羽根車３と、翼型保持リング１０は同じ回転速度で回転している。このため、シロッコファンの羽根車３の遠心作用がはたらき、吸気口５からの換気空気が羽根間を介して円周方向に向けて吹き出されると同時に、翼型保持リング１０は吸気口５からの換気空気が軸方向へ羽根間を介して翼型保持リング１０の裏側へ送風される。
従って、従来の改良型シロッコファンの場合、換気気流が羽根車入口側に偏り、羽根車３の軸方向に沿う気流流量分布の不均一現象は、上記翼型保持リング１０の働きで気流が軸方向の下流（奥）へ送風されることにより改善し、排気口６の断面気流速度分布のひずみが抑制される。  実験により調べた結果、送風量が増え送風性能が向上することが確認された。
【図面の簡単な説明】
【０００７】
【図１】従来のシロッコファンの構造図（１）
【図２】改良型シロッコファンの構造図（２）
【図３】本発明によるシロッコファンの構造図
【符号の説明】
【０００８】
１  シロッコファン本体
２  モータ
３  シロッコファン羽根車
４  シロッコファンボス部
５  吸気口
６  排気口
７  保持リング
８  流線Ａ
９  流線Ｂ
１０  翼型保持リング
【図１】
2007231863.tif 000003
【図２】
2007231863.tif 000004
【図３】
2007231863.tif 000005
(57)【要約】【課題】付着した汚れを容易に除去することができる清掃性に優れた水栓の取付台座を提供する。【解決手段】水栓１を水栓取付面４に取り付けるための筒状の取付台座５は、水栓取付面４側の外周面が凹状に拡径した湾曲外周面５ｃに形成されている。【選択図】図４
2007231592.tif 000002
【特許請求の範囲】
【請求項１】
水栓を水栓取付面に取り付けるための筒状の取付台座において、前記水栓取付面側の外周面が凹状に拡径した湾曲外周面となっていることを特徴とする水栓の取付台座。
【請求項２】
前記湾曲外周面から前記水栓側へストレート状に延びるストレート部が一体形成されていることを特徴とする請求項１に記載の水栓の取付台座。
【発明の詳細な説明】
【技術分野】
【０００１】
本発明は、水栓を水栓取付面に取り付けるための取付台座に関するものである。
【背景技術】
【０００２】
従来、水栓をカウンター等の水栓取付面に取り付けるために、水栓と水栓取付面間に取付台座を設けている。このような構造として、例えば特許文献１に開示されているようなものが存在する。
【特許文献１】特開２００２−１２９６１１号公報
【発明の開示】
【発明が解決しようとする課題】
【０００３】
従来の構造では、水栓取付面と取付台座の当接部に水垢等の汚れが溜まり易いが、指先等が入り難いために掃除がしづらいという問題点があった。
【課題を解決するための手段】
【０００４】
本発明は上記従来の問題点に鑑み案出したものであって、付着した汚れを良好に取ることのできる水栓の取付台座を提供するものであり、その請求項１は、水栓を水栓取付面に取り付けるための筒状の取付台座において、前記水栓取付面側の外周面が凹状に拡径した湾曲外周面となっていることである。
【０００５】
また請求項２は、前記湾曲外周面から前記水栓側へストレート状に延びるストレート部が一体形成されていることである。
【発明の効果】
【０００６】
本発明は、水栓を水栓取付面に取り付けるための筒状の取付台座において、前記水栓取付面側の外周面が凹状に拡径した湾曲外周面となっていることにより、湾曲外周面に指先や雑巾等を当て、指先や雑巾等で付着した汚れを良好に取り除くことができ、取付台座の清掃性が向上する。
【０００７】
また、前記湾曲外周面から前記水栓側へストレート状に延びるストレート部が一体形成されていることにより、指先や雑巾等で湾曲外周面の汚れを除去した時に、除去した汚れが取付台座と水栓の間に再付着し難いものとなる。
【実施例】
【０００８】
以下、本発明の実施例を図面に基づいて説明する。
図１は、水栓の取付状態を示すものであり、水栓本体１には上端にレバーハンドル２が設けられており、また突出状に吐水口３が設けられている。この水栓１をシンクあるいはカウンター等の水栓取付面４に取り付けるに際し、水栓取付面４と水栓本体１の下端間に取付台座５が設けられ、この取付台座５内に、配管６の上端の取付部材７が嵌め込まれて、取付台座５のボルト孔５ｅを介し外側よりボルト８を取付部材７に締め付けて、取付部材７に取付台座５が固定されるものである。
【０００９】
取付台座５は、図２の正面拡大図で、また、図３の斜視図で示すような構造となっており、水栓本体１の下端側と同径の円筒状に形成され、水栓取付面４に当接する下端当接部５ａ側の外周面に、凹状に下端側へ拡径した湾曲外周面５ｃが形成されており、この湾曲外周面５ｃの上端から、水栓本体１の下端部が当接する上端部５ｂに向かって垂直なストレート部５ｄが一体形成されている。
【００１０】
図４は、水栓本体１の下端部と取付台座５の縦断面構成図である。
なお、この取付台座の湾曲外周面５ｃは、指先で触れることができるような湾曲した凹状に形成されている。
このような取付台座５により水栓本体１を水栓取付面４に取り付けた場合、水垢等が湾曲外周面５ｃ付近に付着しても、湾曲外周面５ｃは指先や雑巾等が良好に当たるような凹状であるため、指先や雑巾等をこの湾曲外周面５ｃに当てて、良好に付着した汚れを取り除くことができるものとなる。
【００１１】
また、ストレート部５ｄが上方へ延びているため、湾曲外周面５ｃに付着した汚れを取り除いた時に、汚れが取付台座５の上端部５ｂと水栓本体１の下端間に再付着することがなく、良好に取付台座５の外周を掃除して清潔な状態に維持できるものである。
【００１２】
なお、取付台座５は、例えば図５に示すように、下端当接部５ａから上端部５ｂに亘り、その外周面全体に下端側へ凹状に拡径した湾曲外周面５ｃを形成させておいても良く、このように上下方向全体に湾曲外周面５ｃが形成されている場合には、この湾曲外周面５ｃの全域に確実に指先や雑巾を当てて、全体の汚れを良好に拭き取ることができるものとなり、また、取付状態の意匠性が向上したものとなる。
【００１３】
なお、本例では、取付台座５は円筒形状のものを例示しているが、円筒形状に限定されるものではなく、四角，多角形状の筒状の取付台座においても、同様にその水栓取付面４側の外周面に凹状に拡径した湾曲外周面を形成させておけば、清掃性が向上するものとなる。
【図面の簡単な説明】
【００１４】
【図１】水栓の取付状態の全体構成図である。
【図２】取付台座の正面拡大構成図である。
【図３】取付台座の斜視構成図である。
【図４】取付台座と水栓の縦断面構成図である。
【図５】取付台座の変更例を示す縦断面構成図である。
【符号の説明】
【００１５】
１  水栓本体
４  水栓取付面
５  取付台座
５ａ  下端当接部
５ｂ  上端部
５ｃ湾曲外周面
５ｄ  ストレート部
５ｅ  ボルト孔
【図１】
2007231592.tif 000003
【図２】
2007231592.tif 000004
【図３】
2007231592.tif 000005
【図４】
2007231592.tif 000006
【図５】
2007231592.tif 000007
(57)【要約】【課題】透水性を有し、かつ、植物の発芽を抑制し得る透水性防草舗装方法を提供する。【解決手段】本発明の透水性防草舗装方法は、火力発電所のボイラーから発生した多孔質の石炭灰と、セメント系固化材と、混和液とを所定の重量比で混和する工程と、前記混合物Ｍを路盤３上に転圧して舗装層１を形成する工程とを備えている。前記石炭灰、セメント系固化材および混和材で構成された混合物Ｍからなる前記舗装層１は、透水性を有し、かつ、植物の発芽を抑える表面強度を有することを特徴とする。【選択図】図１
2007231565.tif 000002
【特許請求の範囲】
【請求項１】
火力発電所のボイラーから発生した多孔質の石炭灰とセメント系固化材と混和液とを所定の重量比で混和する工程と、
前記混合物を路盤上に転圧して舗装層を形成する工程とを備え、
前記舗装層は透水性を有し、かつ、植物の発芽を抑える表面強度を有することを特徴とする透水性防草舗装方法。
【請求項２】
請求項１において、前記表面強度が２Nf/mm2以上であることを特徴とする透水性防草舗装方法。
【請求項３】
請求項１もしくは２において、前記透水性が社団法人日本道路協会に定められた透水性アスファルト舗装の現場試験方法に基づいた値が３０ml／秒以上であることを特徴とする透水性防草舗装方法。
【請求項４】
請求項１〜３のいずれか１項において、前記石炭灰がクリンカアッシュからなる透水性防草舗装方法。
【請求項５】
請求項１〜４のいずれか１項において、前記セメント系固化材１重量部に対し石炭灰が３重量部以上混和されている透水性防草舗装方法。
【請求項６】
請求項１〜５のいずれか１項において、前記舗装層の厚さが３０mm以上である透水性防草舗装方法。
【発明の詳細な説明】
【技術分野】
【０００１】
本発明は、透水性防草舗装方法に関する。
【背景技術】
【０００２】
近年、地球資源の枯渇が重大視されており、資源の有効活用を目的とした産業廃棄物のリサイクルは重要課題となっている。かかる産業廃棄物のリサイクルの一つとして、火力発電所のボイラーから大量に発生する燃焼後の石炭灰に関して、該石炭灰を地面の舗装層として利用する提案がなされている（特許文献１）。
【特許文献１】特開平６−１０７４４５号公報  （要約）
【発明の開示】
【０００３】
前記舗装層は、植物の発芽を抑えて雑草等が生い茂らないことが重要であり。同時に、透水性を有し、水はけが良いことが重要である。
【０００４】
したがって、本発明の目的は、透水性を有し、かつ、植物の発芽を抑制し得る透水性防草舗装方法を提供することである。
【０００５】
前記目的を達成するために、本発明の透水性防草舗装方法は、火力発電所のボイラーから発生した多孔質の石炭灰とセメント系固化材と混和液とを所定の重量比で混和する工程と、前記混合物を路盤上に転圧して舗装層を形成する工程とを備え、前記舗装層は透水性を有し、かつ、植物の発芽を抑える表面強度を有することを特徴とする。
【０００６】
本発明によれば、火力発電所のボイラーから発生する石炭灰を舗装層に利用することで、廃棄物としての石炭灰を有効に活用することができる。
また、前記石炭灰、セメント系固化材および混和液で構成された混合物を路盤上に転圧することにより、透水性を有し、かつ、植物の発芽を抑える舗装層を形成することができる。
【０００７】
なお、前記「セメント系固化材」とは、水などの混和液で練ると、日時の経過と共に硬化する粉末体をいう。「セメント系固化材」としては、たとえば、焼せっこう、マグネシアセメント、水硬石灰、天然セメント、ポルトランドセメント、アルミナセメント、高炉セメント、リリジチットなどを用いることができる。
【０００８】
本発明においては、前記表面強度が２Nf/mm2以上であるのが好ましい。表面強度を２Nf/mm2以上にすることにより、植物の発芽の抑制をより一層高めることができる。
【０００９】
本発明においては、前記透水性が社団法人日本道路協会に定められた透水性アスファルト舗装の現場試験方法に基づいた値が３０ml／秒以上であるのが好ましい。
【００１０】
本発明において、前記石炭灰はクリンカアッシュで構成されている。
前記クリンカアッシュとは、火力発電所で石炭を燃焼させた時に発生する石炭灰のうち、ボイラーの底部に落下した石炭灰の塊を回収し、脱水および紛砕した灰のことをいう。前記石炭灰としては、好ましくは、前記クリンカアッシュを0.15mm〜7.0mm 程度の粒径に紛砕したものが用いられる。
【００１１】
本発明においては、前記セメント系固化材１重量部に対し石炭灰が３重量部以上混和されているのが好ましい。
【００１２】
本発明においては、前記舗装層の厚さが３０mm以上であるのが好ましい。前記舗装層の厚さは、３０mm〜７０mm程度に設定するのが好ましく、より好ましくは５０mm程度にするのが良い。
【発明を実施するための最良の形態】
【００１３】
以下、本発明の一実施例にかかる透水性防草舗装方法を図面に従って説明する。
図１に示すように、透水性防草舗装方法によって舗装された地面は、路盤３の上に砕石２などが敷かれ、その上に舗装層１が形成されている。
前記舗装層１の厚さ１Ｄは、概ね５０mm程度に設定されており、前記砕石２の厚さ２Ｄは１００mm程度に設定されている。
【００１４】
つぎに、透水性防草舗装の舗装方法について説明する。
まず、火力発電所のボイラーから発生した多孔質のクリンカアッシュからなる石炭灰、セメント系固化材および混和液を所定の重量比で混和する。前記重量比は、セメント系固化材１重量部に対し、石炭灰３重量部〜７重量部程に設定する。前記石炭灰、セメント系固化材および混和液をミキサーで練り上げ混合物Ｍを生成する。
その後、前記混合物Ｍをプレートやローラーなどを用いて、路盤３上に敷きつめた砕石２上に転圧し、舗装層１を形成する。
【００１５】
舗装層１の表面強度は、２Nf/mm2以上になるように転圧を行う。かかる表面強度に転圧することにより、植物の発芽を抑えることができる。特に、たとえば、架空送電線鉄塔の敷地内などに透水性防草舗装を施すことにより、植物の発芽が抑えられ、近隣住民からの苦情が出なくなると共に、雑草に阻まれ作業員が敷地内に入り辛くなくなどの不具合を防止することがでる。
【００１６】
前記舗装方法により、社団法人日本道路協会に定められた透水アスファルト舗装の現場試験方法に基づいた値が３０ml／秒以上となる。前記石炭灰であるクリンカアッシュには、１〜２０μｍの無数の細孔が形成されている。そのため、クリンカアッシュからなる前記石炭灰を舗装層１に用いることにより、該クリンカアッシュに形成された無数の細孔によって、排水性や通気性が著しく向上する。
【００１７】
このように、火力発電所のボイラーから発生した石炭灰を舗装層に利用することにより、産業廃棄物のリサイクルを行うことができると共に、該舗装層の透水性や防草性などの機能を高めることができる。
【産業上の利用可能性】
【００１８】
本発明は、路盤上に舗装層を形成する舗装方法に適用することができる。
【図面の簡単な説明】
【００１９】
【図１】本発明の一実施例にかかる透水性防草舗装が施された地面を示す概略断面図である。
【符号の説明】
【００２０】
１：舗装層
３：路盤
Ｍ：混合物
【図１】
2007231565.tif 000003
(57)【要約】【課題】  医療の補助と美容の補助を兼ねた、腰痛と前傾姿勢の保護コルセット、オールインワンのコルセットとして提供する。【解決手段】  ボディースーツのコルセット、キャミソールのコルセット、この２つのコルセットを、後部胴まわりで重ねて固定一体化させ、１つのコルセットとして機能させ、キャミソールコルセットの位置の安定と、胴まわりの強化を計り、キャミソールのコルセットの前打ち合わせに取り付けた、フックの金具に紐を掛けて胴をしめる方法で腹部をしっかり支え、腰痛と前傾姿勢を保護するオールインワンのコルセット。【選択図】図４
2007231494.tif 000002
【特許請求の範囲】
【請求項１】
ボディスーツのコルセットの前中央にファスナーを取り付け、股下あき前後に、ハトメ釦を取り付け、キャミソールのコルセット側には前後に計７本の芯を取り付け、この２つのコルセットを後部胴まわりで重ねて固定一体化させ、１つのコルセットとして機能させキャミソールのコルセットの前打ち合わせに取り付けたフックの金具に紐を掛けて胴を締め、腰痛と前傾姿勢を保護し、医療の補助と美容の補助を兼ねた１つのコルセットを特徴とする、腰痛と前傾姿勢を保護するオールインワンのコルセット。
【発明の詳細な説明】
【技術分野】
【０００１】  本発明は、腰痛の保護と腰痛から起こる前傾姿勢、腹筋が弱り、加齢と共に起こる前傾姿勢、この腰痛と前傾姿勢を保護するオールインワンのコルセット関するものである。
【背景技術】
【０００２】  従来、ボディースーツのコルセットはきれいなボディーラインを保つもので腰痛と前傾姿勢を保護する機能がない。
その他、部分的なコルセットもいろいろあるが腰痛と前傾姿勢を保護するには充分でなかった。
【発明の開示】
【発明が解決しようとする課題】
【０００３】  そのために次のような問題点があった。
（イ）パンティー式コルセットでは股下あきでないため、腹部のカギホックをはずすのに手間取り、尿もれを起こす不快感があった。
（ロ）胴まわりのコルセットでは動いている間に、胴まわりのコルセットがずれ上がり、その都度コルセットを引き下げるという欠点があった。
（ハ）部分的なコルセットを利用してブラジャーと胴まわりのコルセット、パンティーコルセット等、３つのコルセットを組み合わせ、着用すると、コルセットとコルセットの間の贅肉がはみ出し、こすれ傷や脱着に手間がかかったり、嵩ばったり、きれいなボディーラインが保てず、見苦しい悩みがあった。
（ニ）３つのコルセットを組み合わせて使用しても、腰痛と前傾姿勢を保護することは出来なかった。
本発明は、以上の問題点を解決しようとするものである。
【課題を解決するための手段】
【０００４】  ボディスーツのコルセットの前中央に前あきのファスナーを取り付け、股下あき前後にハトメ釦を取り付ける。
キャミソールコルセットの前後に計７本のワイヤーの芯を入れ、その芯の表側に細長いレザーを貼って芯を補助、キャミソールのコルセットの前打ち合わせと、持出し布にもレザーを使用し、この前打ち合わせのレザーに紐を掛けるフックの金具を取り付ける。
ボディースーツのコルセットとキャミソールのコルセット、この２つのコルセットを、後部胴まわりで重ねて固定一体化させ、１つのコルセットとして機能させ、キャミソールのコルセットの位置の安定と胴まわりの強化を計り、キャミソールのコルセットの前打ち合わせに取り付けたフックの金具に紐を掛けて胴をしめる方法で腹部をしっかり支え、腰痛と前傾姿勢を保護、医療の補助と美容の補助を兼ねた１つのコルセット。
以上を特徴とする、腰痛と前傾姿勢を保護するオールインワンのコルセットである。
【発明の効果】
【０００５】  ２つのコルセットを１つのコルセットとして、固定一体化させた結果、キャミソールのコルセットの位置が安定し、胴まわりが強化された。
前打ち合わせのフックに紐を掛けて胴を締める方法で腹部がしっかり支えられ、腰痛と前傾姿勢が保護される。
キャミソールのコルセットが固定されたため、どのような動きに対しても、従来のコルセットのように動く度にコルセットがずれ上がり、その都度引き下げる欠点もなくなる。
１つのコルセットになったため、贅肉のはみ出しもこすれ傷もなくなり、心配だった尿洩れもコルセットの脱着の手間が簡単になり、すべての悩みが解消される。
尚フックに紐を掛けて胴をしめる方法は、コルセットを着用するときの、その人の体調とどのような体形の人でも自由に調節出来るのがこのコルセットの特徴である。
【発明を実施するための最良の形態】
【０００６】  以下、本発明の実施の形態について説明する。
（イ）ボディースーツのコルセット（１）の前中央にファスナー（２）を取り付け、股下あき前後（３）にハトメ釦（４）を取り付ける。
（ロ）キャミソールのコルセット（５）の前後に計７本のワイヤーの芯（６）を入れ、その芯の表側に細長いレザー（７）を貼って芯の強度を補助、キャミソールのコルセット（５）の前打ち合わせ（８）とその持出し布（９）にレザー（７）を使用し、紐を掛けるフックの金具（１０）を取り付ける。
（ハ）ボディースーツのコルセット（１）、キャミソールのコルセット（５）この２つのコルセットを、後部胴まわりで重ねて固定一体化させ（１１）、１つのコルセットとして機能させた。
（ニ）一本の紐（１２）を、左右２本の紐になるように、１／２の頂点を持って小さな輪を作って結びフック（１０）に掛ける紐（１２）を作る。
最後に前中央の打ち合わせ（８）に取り付けた、フックの金具（１０）に紐（１２）を掛ける。
本発明は以上のような構成からなるものである。
又図面（３）に示すように、後部胴まわりの重なった部分（１１）を一重にして、同じ用品を直接ボディースーツのコルセットに取り付けることも出来る。
尚図（４）の前あきは接着テープ式、カギホック式も可能である。
このコルセットは、股下あきのため、腹部のカギホックをはずさなくても、用を足すことが出来る。
本発明の使用方法は、普通のコルセットと同じ、違いはフックに掛ける紐、１番上にかかっている紐（１２）の１本を、真横に掛け、後は両手に紐を持って×の字になるように上から順に紐を掛け、最後のフックで紐（１２）を結ぶ。
以上である。
【図面の簡単な説明】
【０００７】
【図１】  キャミソールのコルセットを開いた、ボディースーツのコルセットの前面の説明図
【図２】  キャミソールコルセットの展開した説明図
【図３】  ボディースーツのコルセット、キャミソールのコルセットを固定一体化させた後部胴まわりの説明図
【図４】  フックの金具に紐を掛けた、オールインワンのコルセットの前面の説明図
【図５】  本発明の紐の説明図
【符号の説明】
【０００８】  １  ボディースーツのコルセット
２  ファスナー
３  股下あき前後
４  股下あき、ハトメ釦
５  キャミソールのコルセット
６  ワイヤーの芯
７  レザー
８  前打ち合わせ
９  前打ち合わせの持出し
１０  フックの金具
１１  重ねて固定一体化した後部胴まわり
１２  フックの金具に掛ける紐
【図１】
2007231494.tif 000003
【図２】
2007231494.tif 000004
【図３】
2007231494.tif 000005
【図４】
2007231494.tif 000006
【図５】
2007231494.tif 000007
(57)【要約】      （修正有）【課題】ネクタイはぶら下がり部分を固定するために、留め具としてのネクタイピン（ハサミ）が必要であるが、Ｙシャツの腹部ボタンと、ネクタイ最端部分に設けた「ボタンホール付生地」の内の最適位置のボタンホールを合体させることで、ネクタイピン（ハサミ）使用と同じ固定効果を得る。【解決手段】  ネクタイ（１）の末端部分にボタンホール付生地（２）を設け、そのボタンホールとＹシャツ腹部ボタン（３）とを合体させるネクタイピン（ハサミ）が不要なネクタイを特徴とする。【選択図】図１
2007231495.tif 000002
【特許請求の範囲】
【請求項１】
ネクタイの最端部分裏面にボタンホール（数箇所）付生地を設け、それと腹部に位置するＹシャツボタンを合体させることで、ネクタイ止めの効果を確保する。
【発明の詳細な説明】
【発明の詳細な説明】
【技術分野】
【０００１】  従来のネクタイの使用は、結んだネクタイのずれを防止するためネクタイピン（ハサミ）の購入とその使用が必要である。
【背景技術】
【０００２】  従来、ネクタイは付属品としての「ネクタイピン（ハサミ）」によりネクタイの固定機能を確保していた。
【発明が解決しようとする課題】
【０００３】  付属品としての「ネクタイピン（ハサミ）」には、次のような欠点があった。
・「ネクタイピン（ハサミ）」は高価で、ネクタイとは別に保管が必要である。
・特にハサミ状のものは、はずれ落ちて亡失する。
・金属性の「ネクタイピン（ハサミ）」は腹部に接触するため不快感が伴う。
・ネクタイの装飾性、美観に配慮する必要がある。
本発明は、以上のような欠点をなくすためになされたものである。
【課題を解決するための手段】
【０００４】ネクタイの最端部の内側部分に、「ボタンホール（３〜４箇所）付生地」を設け、そのボタンホールの最適な１箇所と腹部にあるＹシャツボタンと合体させる。本発明は、以上の構成によりなる「ネクタイピン（ハサミ）の不要なネクタイ」である。
【発明を実施するための最良の形態】
【０００５】以下、本発明の実態の形態について説明する。
まず、ネクタイ（１）の結び目をまとめた後、下げられた２本の両端は、通常、内側で整える「通し輪（２）」でまとめられる。通し輪にくぐらせた最端部内側に設けた「ボタンホール付生地（３）」にＹシャツボタン（４）を合体させることで、Ｙシャツとネクタイを接合させる
本発明は、以上の形態でこれを使用するとき、Ｙシャツボタンと「ボタンホール」を最適位置で合わせることができるよう、ボタンホール付生地には連続して３〜４箇所のボタンホール設ける。
【発明の効果】
【０００６】ネクタイピン（ハサミ）を購入する必要は無く、亡失することもない。また、ネクタイピン（ハサミ）が腹部にふれる不快感もなく、ネクタイの裏側部分に直接ボタンホールをつけるため、美観を損なうことがなく、繰り返し使用できネクタイずれも生じない。
【図面の簡単な説明】
【図１】本発明の分解斜視図である。
【図２】本発明の正面図である。
【図３】本発明の詳細図である。
【符号の説明】
（１）  ネクタイ本体
（２）  通し輪
（３）  ボタンホール付生地
（４）  Ｙシャツ腹部ボタン
【図１】
2007231495.tif 000003
【図２】
2007231495.tif 000004
【図３】
2007231495.tif 000005